(57)【特許請求の範囲】
【請求項１】
基材に塗膜を塗布した転写テ−プを巻き回したパンケ−キコアと、塗膜を被転写面に転写する転写ヘッドと、転写後の基材を巻き取る巻取りコアと、両コアを連動する手段と、ケースとカバ−を備えた塗膜転写具において、前記ケース及び／又は前記カバ−はスライド自在に設けた対向する一対の転写ヘッド保護カバ−を有し、前記転写ヘッド保護カバ−が転写ヘッド方向へ前出した位置で、前記転写ヘッド保護カバ−が組み合わされて、前記転写ヘッドを覆い、かつ前記一対の転写ヘッド保護カバ−の前出位置及び後退位置の両位置において抜け止め部と位置固定手段を具備したことを特徴とする塗膜転写具。
【請求項２】
前記ヘッド保護カバ−を有するケ−スとカバ−が、少なくとも基材に塗膜を塗布した転写テ−プを巻き回したパンケ−キコアと、転写後の基材を巻き取る巻取りコアを備えた交換カセットを収納する本体ケースと本体カバ−であることを特徴とする請求項１の塗膜転写具。
【請求項３】
前記一対の転写ヘッド保護カバ−が、一方をスライドさせることにより、他方が連動してスライドすることを特徴とする請求項１又は請求項２記載の塗膜転写具。
【請求項４】
前記一対の転写ヘッド保護カバ−が、転写ヘッド方向へ前出時に、転写ヘッドの一部の形状と組み合わせられることにより、転写ヘッドに掛け回された転写テ−プが覆われることを特徴とする請求項１〜３記載の塗膜転写具。
【発明の詳細な説明】
【技術分野】
【０００１】
本発明は、塗膜を被転写体に押圧転写する塗膜転写具のうち，特に転写ヘッドに掛け回された転写テ−プの塗膜を保護するための保護カバ−を有した塗膜転写具に関する。
【背景技術】
【０００２】
塗膜転写具は、一般に，ケ−ス部分より突出した転写ヘッドに掛け回したテ−プの外面に塗布された糊や修正インクなどの塗膜を、紙などの被転写体へ転写するようになっている。そのため塗膜が外部に露出しており、不使用時に塗膜が破損したり、ゴミが付着しやすくなっている。
これを防止するために、従来から特許文献１，２のようなカセットの外周面上をスライドできるカバ−を設けて、不使用時に転写ヘッドに掛け回された塗膜を保護する塗膜転写具や，特許文献３のような転写ヘッドを覆う着脱可能な保護キャップを設けた塗膜転写具や、特許文献４のような、保護カバ−をカセットの外周上の支軸に回転可能に設けて、不使用時に転写ヘッドに掛け回されたテープの塗膜を保護する塗膜転写具が、提案されてきた。
【先行技術文献】
【特許文献】
【０００３】
【特許文献１】特開２００３−３２０７９２号公報
【特許文献２】特開２００４−２６８３２２号公報
【特許文献３】特開２００４−２８４１７９号公報
【特許文献４】特開２００９−２８５８８４号公報
【発明の概要】
【発明が解決しようとする課題】
【０００４】
しかし、従来の塗膜転写具の転写ヘッド保護カバ−においては、転写ヘッドを完全に覆うことが出来ず、転写ヘッドに掛け回されたテープの塗膜にゴミが付着したり、転写ヘッド保護キャップが塗膜転写具から取り外されて分離するものは、紛失する恐れもあった。例えば、特許文献１のカセットの外周面上をスライドして、転写ヘッド上の塗膜を覆う板状の転写ヘッド保護カバ−、特許文献２の同じくカセットの先端部分をスライドして、転写ヘッドの周囲を覆う筒状の転写ヘッド保護カバ−、特許文献４のカセット外周上の支軸回りに回転して、転写ヘッド上の塗膜を覆う板状の転写ヘッド保護カバ−は、いずれも転写ヘッド全体を覆うことはできず、塗膜へのゴミ付着を完全に防止することはできなかった。また、特許文献２記載の取り外し可能な転写ヘッド保護キャップは、転写ヘッドを完全に覆う形状のものを製作することは可能だが、取り外し（分離）が可能なために、キャップ自身を紛失する可能性があつた。
【０００５】
本発明は、上記の点に鑑み、転写ヘッド全体を覆い、転写ヘッドに掛け回されたテープの塗膜へのゴミの付着が防止できるとともに、紛失の恐れのない転写ヘッドの保護カバ−を有する塗膜転写具の提供を目的とする。
【課題を解決するための手段】
【０００６】
すなわち、請求項１にかかる発明は、基材に塗膜を塗布した転写テ−プを巻き回したパンケ−キコアと、塗膜を被転写面に転写する転写ヘッドと、転写後の基材を巻き取る巻取りコアと、両コアを連動する手段と、ケースとカバ−を備えた塗膜転写具において、前記ケース及び／又は前記カバ−はスライド自在に設けた対向する一対の転写ヘッド保護カバ−を有し、前記転写ヘッド保護カバ−が転写ヘッド方向へ前出した位置で、前記転写ヘッド保護カバ−が組み合わされて、前記転写ヘッドを覆い、かつ前記一対の転写ヘッド保護カバ−の前出位置及び後退位置の両位置において抜け止め部と位置固定手段を具備したことを特徴とする塗膜転写具に関する。
【０００７】
また、請求項２にかかる発明は、前記ヘッド保護カバ−を有するケ−スとカバ−が、少なくとも基材に塗膜を塗布した転写テ−プを巻き回したパンケ−キコアと、転写後の基材を巻き取る巻取りコアを備えた交換カセットを収納する本体ケースと本体カバ−であることを特徴とする請求項１の塗膜転写具に関する。
【０００８】
また、請求項３にかかる発明は、前記一対の転写ヘッド保護カバ−が、一方をスライドさせることにより、他方が連動してスライドすることを特徴とする請求項１又は請求項２記載の塗膜転写具に関する。
【０００９】
また、請求項４にかかる発明は、前記一対の転写ヘッド保護カバ−が、転写ヘッド方向へ前出時に、転写ヘッドの一部の形状と組み合わせられることにより、転写ヘッドに掛け回された転写テ−プが覆われることを特徴とする請求項１〜３記載の塗膜転写具に関する。
【発明の効果】
【００１０】
請求項１の塗膜転写具には、次の（ア）〜（エ）の４点の効果がある。
（ア）カセットをスライド自在に設けられた対向する一対の転写ヘッド保護カバ−が
、前出時に組み合わせられて転写ヘッドを覆うことにより、不使用時に転写ヘ
ッドに掛け回されたテープの塗膜へのゴミの付着を防止できる。
（イ）前出位置及び後退位置の両位置において、転写ヘッド保護カバ−の抜け止めを
具備したことにより、転写ヘッド保護カバ−は塗膜転写具から分離できず、そ
の紛失を防止できる効果がある。
（ウ）転写ヘッド保護カバ−の前出位置における位置固定手段を具備したことにより
、転写ヘッドを上にして塗膜転写具を保管したり輸送しても、転写ヘッド保護
カバ−はヘッドを覆った状態で固定され、転写ヘッドに掛け回されたテープの
塗膜が露出することはない。
（エ）転写ヘッド保護カバ−の後退位置における位置固定手段を具備したことにより
、転写ヘッドを重力方向で下にした状態で塗膜転写しても、転写ヘッド保護カ
バ−が転写ヘッド位置まで落下することがなく、塗膜転写の妨害となることが
無い。
請求項２のように、交換カセットを本体カセットに収納した塗膜転写具において、本体カセットに、対向する一対の転写ヘッド保護カバ−を請求項１と同様の形態で設けることによって、交換タイプの塗膜転写具でも、不使用時に転写ヘッドに掛け回されたテープの塗膜へのゴミの付着を防止できるとともに、保護カバ−の紛失を防止できる。
請求項３の塗膜転写具では、一対の転写ヘッド保護カバ−のうち、一方をスライドさせることにより、他方も連動してスライドするので、保護カバ−の開閉作業が容易になる。
請求項４の塗膜転写具では、一対のプレ−トと転写ヘッドの形状の一部が組み合わせられることにより、転写ヘッドに掛け回された転写テ−プが覆われるので、転写ヘッド保護カバ−が小型化でき、塗膜転写具全体が小型化できる。
【図面の簡単な説明】
【００１１】
【図１】本発明の請求項１の実施例である実施例１の塗膜転写具の形状を示した図面である。
【図２】本発明実施例１の塗膜転写具において、転写ヘッド保護カバ−が後退して、塗膜が転写可能となった状態を示す外観図である。
【図３】本発明実施例１の塗膜転写具において、ヘッド保護カバ−が前出して、転写ヘッドが転写ヘッド保護カバ−に覆われた状態を示す外観図である。
【図４】本発明の請求項２の実施例である実施例２の塗膜転写具の形状を示した図面である。
【図５】本発明の請求項２の実施例である実施例３の本体ケ−ス、本体カバ−の形状を示した図面である。
【図６】本発明の請求項３の連動機構のうち、カムと長穴の組合せによる連動機構の実施例（実施例４）を示した図面である。
【図７】本発明の請求項３の連動機構のうち、ピン・ピン受け穴の組合せによる連動機構の実施例（実施例５）を示した図面である。
【図８】本発明の請求項４に示す塗膜転写具の実施例である実施例６の形状図である。
【発明を実施するための形態】
【００１２】
以下に、本発明の実施形態を図面に基いて説明する。
【００１３】
図１は、本発明の請求項１の実施例である実施例１の塗膜転写具の内部形状と外観を示したものである。本願発明の塗膜転写具は、ケ−ス１、カバ−２、塗膜を塗布したテ−プを巻き回したパンケ−キコア３、パンケ−キコア３を装着する巻き出しプ−リ４、塗膜を紙等の被転写体に転写する転写ヘッド５、塗膜を転写した後のテ−プを巻取る巻取りコア６、及び巻き出しプ−リ−の回転を巻取りコアに伝えるＯリング７とケ−ス１とカバ−２間にスライド可能に取り付けられた転写ヘッド保護カバ−（転写側）８、転写ヘッド保護カバ−（転写後側）９から構成されるものである。
【００１４】
巻き取り力の伝達方法は、本例ではＯリング７を使用しているが、ギヤ等による伝達も可能であり、特に制限はない。また、本例では、巻きだし側と巻取り側の周速差を吸収するスリップ機構もＯリング７と巻きだしプ−リ４と巻取りコア６に設けられたプ−リ間のスベリを利用しているが、スリップリング、コイルスプリング、樹脂バネ等によるスベリ機構も利用可能であり、特にその方法を限定するものではない。
【００１５】
図２は、図１の塗膜転写具の転写ヘッド保護カバ−（転写側）８と転写ヘッド保護カバ−（転写後側）９を後方に後退させて、転写ヘッド５を露出させ塗膜を転写可能にした状態の外観図である。ケース１とカバ−２の後退位置には、抜け止め部ｅが設けられており、ヘッド保護カバー８，９から突出した部分と干渉するので、転写ヘッド保護カバ−８，９は所定の後退位置以上は後退せず、カセットから分離されない。このため、転写ヘッド保護カバ−８，９を紛失する恐れがない。転写ヘッド保護カバ−の弾性系合片ａは、転写ヘッド保護カバ−に一体成形され、ケ−ス１とカバ−２の系合凹部ｂに食い込んで系合し、転写ヘッドを下にして塗膜を転写しても、転写ヘッド保護カバ−（転写側）８と転写ヘッド保護カバ−（転写後側）９は、転写ヘッド方向へ移動せず、塗膜転写の妨げとなることはない。転写ヘッド保護カバ−８，９とケ−ス１・カバ−２の系合方法は、ケ−ス１・カバ−２側に系合片を設けてもよいし、特にその方法を限定するものではない。
【００１６】
図３は、図１の塗膜転写具の転写ヘッド保護カバ−（転写側）８と転写ヘッド保護カバ−（転写後側）９を前方に前出させて、転写ヘッド５を転写ヘッド保護カバ−８，９で覆った状態の外観図である。ケース１とカバ−２の前出位置にも、抜け止め部ｅが設けられているので、転写ヘッド保護カバ−８，９は所定の前出位置以上には前出せずカセットから分離されないので、転写ヘッド保護カバ−８，９を紛失する恐れがない。
転写ヘッド保護カバ−の弾性系合片ａは、ケ−ス１とカバ−２の系合凹部ｃに食い込んで系合しており、転写ヘッドを上にして塗膜転写具を保管したり、輸送しても、転写ヘッド保護カバ−（転写側）８と転写ヘッド保護カバ−（転写後側）９は、転写ヘッド５を覆った状態で固定され、転写ヘッド５に掛け回されたテープの塗膜が露出することはない。このため、転写ヘッド５に掛け回された転写テ−プの塗膜にゴミが付着することはない。なお、保護カバ−８，９とケ−ス１・カバ−２の系合方法は、ケ−ス１・カバ−２側に系合片を設けてもよいし、特にその方法を限定するものではない。
【００１７】
図４は、本発明の請求項２の実施例である実施例２の形状を示したものである。この塗膜転写具は、塗膜を塗布したテ−プを巻き回したパンケ−キコア（図４には図示せず）、パンケ−キコアを装着する巻き出しプ−リ４、塗膜を紙等の被転写体に転写する転写ヘッド５、転写後の基材を巻き取る巻取りコア６、および巻取り・巻き出し間の回転伝達機構を、交換ケ−ス１０と交換カバ−１１内に具えた交換カセットＡを本体カセットＢ内に収納している。本体カセットＢは、本体ケ−ス１２と本体カバ−１３から成り、それぞれにスライド可能に取り付けられた転写ヘッド保護カバ−（転写側）８、転写ヘッド保護カバ−（転写後側）９が設けられている。
【００１８】
転写ヘッド保護カバ−８，９は、実施例１と同様に、本体ケース１２と本体カバ−１３の前出・後退の両位置には、抜け止め部ｅが設けられているので、所定の位置以上には前出又は後退せず、カセットから分離されない。このため、転写ヘッド保護カバ−８，９を紛失する恐れがない。転写ヘッド保護カバ−の弾性系合片ａは、前出・後退の両位置において、本体ケ−ス１２と本体カバ−１３の系合凹部ｂ、ｃに食い込んで系合する。このため、転写ヘッドを下にして塗膜を転写しても、転写ヘッド保護カバ−（転写側）８と転写ヘッド保護カバ−（転写後側）９は、転写ヘッド５方向へ移動せず、塗膜転写の妨げとなることはない。同様に、転写ヘッド５を上にして塗膜転写具を保管又は、輸送しても、転写ヘッド保護カバ−（転写側）８と転写ヘッド保護カバ−（転写後側）９は、転写ヘッド５を覆った状態で固定される。このため、転写ヘッド５に掛け回されたテープの塗膜は露出せず、テープの塗膜にゴミが付着することはない。
転写ヘッド保護カバ−８，９と本体ケ−ス１２・本体カバ−１３の系合方法は、本体ケ−ス１２・本体カバ−１３側に系合片を設けてもよいし、特にその方法を限定するものではないことも、実施例１と同様である。
【００１９】
なお、図４では、交換カセットＡは、パンケ−キコア３、巻き出しプ−リ４、転写ヘッド５、巻取り・巻き出し間の回転伝達機構を交換ケ−ス１０と交換カバ−１１内に具えた形態となっている。しかし、交換カセットは、少なくとも転写テ−プを巻き回したパンケ−キコアと、巻取りコアを備えていれば良く、この形態に限定されるものではない。
転写ヘッド５や回転伝達機構は、本体カセットに備えても良い。また、交換ケ−ス・交換カバ−の組合せではなく、交換カバ−を有しない交換ケ−ス単体にパンケ−キコアや巻取りコアが回転可能に装着された形態でも良い。
【００２０】
図４では、本体カセットＢは、上下に２分割された本体ケ−ス１２と本体カバ−１３から構成されており、それぞれに転写ヘッド保護カバ−８，９がスライドするレ−ル部ｄを設ける形態となっている。
【００２１】
しかし、本体カセットＢの形状は、転写ヘッド保護カバ−８，９を、転写ヘッドを覆う位置から塗膜が転写可能となる位置までスライド可能に保持し、かつ、その前後位置において、転写ヘッド保護カバ−の抜け止め部と位置固定手段を有する形状であれば良く、特にその形態を限定するものではない。例えば、図５のように、後部から交換カセットＡを挿入する筒状の本体ケ−ス１２と本体ケ−スの開口部をフタする本体カバ−１３で構成されるものでも良い。
【００２２】
請求項３の発明の実施形態として、転写ヘッド保護カバ−の連動機構の実施例４（図６）、実施例５（図７）を説明する。
図６の実施例４では、転写ヘッド保護カバ−（転写側）８からカセット内部に延びたア−ムｆ上のカムｇが、転写ヘッド保護カバ−（転写後側）９からカセット内部に延びたア−ムｆに設けられた長穴ｈ内を移動可能に保持されている。一方の転写ヘッド保護カバ−をスライドさせると、カムｇが長穴ｈ内を移動することにより、もう一方の転写ヘッド保護カバ−が連動してスライド移動する。
図７の実施例５では、転写ヘッド保護カバ−（転写側）８からカセット内部に延びたピンｉが、転写ヘッド保護カバ−（転写後側）９からカセット内部に延びたピン受け穴ｊに  上下動可能に挿入されている。一方の転写ヘッド保護カバ−をスライドさせると、ピンｉがピン受け穴ｊ内を抜き差し方向に移動することにより、もう一方の転写ヘッド保護カバ−が連動してスライド移動する。
このように、転写ヘッド保護カバ−（転写側）８と転写ヘッド保護カバ−（転写後側）９のスライド移動が連動しているので、一方の転写ヘッド保護カバ−をスライドさせると他方も同様にスライドして、転写ヘッド保護カバ−の開閉作業が容易になる。
なお，転写ヘッド保護カバ−８，９間の連動機構は，一方をスライド移動すれば、他方も連動するものであれば良く、その機構を、図６、図７の機構に限定するものではない。
【００２３】
請求項４の発明の実施形態として、一対の側板状の転写ヘッド保護カバ−と転写ヘッドの一部の形状と組み合わせにより、転写ヘッドに掛け回された転写テ−プが覆われる実施例６の形状を、図８に示す。
図８の実施例では、転写ヘッド保護カバ−（転写側）８と転写ヘッド保護カバ−（転写後側）９と転写テ−プの走行のガイドとなる転写ヘッド側板ｋにより、転写ヘッドに掛け回された転写テ−プの塗膜が覆われる形態となっている。転写ヘッドの側板ｋを利用しているので、転写ヘッドの両サイドを転写ヘッド保護カバ−８，９で覆う必要が無くなり、転写ヘッド保護カバ−８，９は、小型化することができる。これにより、塗膜転写具自体が小型化できる。
【実施例１】
【００２４】
本発明の請求項１の実施例１の形状を、図１〜３に示す。図１は、内部部品形状を含む、実施例１の形状図である。図２は、一対の転写ヘッド保護カバ−８，９の両方が後退位置で固定された外観図であり、転写テ−プ上の塗膜が転写ヘッド５により転写可能な状態となっている。図３は、一対の転写ヘッド保護カバ−８，９の両方が前出位置で固定された外観図であり、転写ヘッド５全体が転写ヘッド保護カバ−８，９で覆われており、転写テ−プ上の塗膜にゴミが付着したり、キズが付くのが防止された状態となっている。
【実施例２】
【００２５】
本発明の請求項２の実施例２の形状を図４に示す。図４では、交換カセットＡを収納する本体カセットＢに転写ヘッド保護カバ−８，９が設けられている。
このような形態とすることにより、交換カセットを交換するタイプの塗膜転写具でも、転写ヘッドに掛け回された塗膜へのゴミの付着が防止できるとともに、紛失の恐れのない転写ヘッド保護カバ−を有することができる。
【実施例３】
【００２６】
実施例３の本体カセットの形態を図５に示す。実施例３は、本発明の請求項２の実施例で、実施例２と本体カセットの構成が異なる実施例である。実施例２は左右に分割される本体ケ−スと本体カバ−から構成されているが、実施例３では、本体カセットは、ヘッドに近い側の筒状の本体ケ−ス１２と、ヘッドに遠い側の本体カバ−１３から構成されており、転写ヘッド保護カバ−８，９は本体ケ−ス１２に装着される。交換カセットＡの交換は、本体カバ−１３を開けて、本体ケ−ス１２の開口部から、交換カセットＡを挿入する。
【実施例４】
【００２７】
実施例４の形態を図６に示す。実施例４は、本発明の請求項３の実施例の一つである。一方の転写ヘッド保護カバ−８に設けられたカムｇが、他方に設けられた長穴ｈ内を移動することにより、もう一方の転写ヘッド保護カバ−が連動してスライド移動する形態となっている。
一対の転写ヘッド保護カバ−８，９のスライド移動が連動しているので、転写ヘッド保護カバ−の開閉が容易になるものである。
【実施例５】
【００２８】
実施例５の形態を図７に示す。実施例５は、本発明の請求項３の実施例の一つである。一方の転写ヘッド保護カバ−をスライドさせると、ピンｉがピン受け穴ｊ内を抜き差し方向に移動することにより、もう一方の転写ヘッド保護カバ−が連動してスライド移動する形態となっている。
一対の転写ヘッド保護カバ−８，９のスライド移動が連動しているので、転写ヘッド保護カバ−の開閉が容易になるものである。
【実施例６】
【００２９】
実施例６は、本発明の請求項４の実施例である。実施例６の形態を図８に示す。
一対の側板状の転写ヘッド保護カバ−と転写ヘッドの側板ｋの形状と組み合わせにより、転写ヘッドに掛け回された転写テ−プが覆われる形態となっている。
転写ヘッドの両サイドを覆わないので、転写ヘッド保護カバ−８，９は、小型化することができ、塗膜転写具自体も小型化できるものである。
【符号の説明】
【００３０】
１    ケース
２    カバ−
３    パンケ−キコア
４    巻き出しプ−リ
５    転写ヘッド
６    巻取りコア
７    Ｏリング
８    転写ヘッド保護カバ−（転写側）
９    転写ヘッド保護カバ−（転写後側）
１０  交換ケ−ス
１１  交換カバ−
１２  本体ケ−ス
１３  本体カバ−
Ａ    交換カセット
Ｂ    本体カセット
ａ    弾性系合片
ｂ    系合凹部（後退側）
ｃ    系合凹部（前出側）
ｄ    レール部
ｅ    抜け止め部
ｆ    アーム
ｇ    カム
ｈ    長穴
ｉ    ピン
ｊ    ピン受け穴
ｋ    ヘッド側板
【図１】
0005601703.tif 000002
【図２】
0005601703.tif 000003
【図３】
0005601703.tif 000004
【図４】
0005601703.tif 000005
【図５】
0005601703.tif 000006
【図６】
0005601703.tif 000007
【図７】
0005601703.tif 000008
【図８】
0005601703.tif 000009